(57)【要約】      （修正有）【課題】ユーザーが力を省いて電子製品を安定的に握り持つことが可能な手持電子製品の支持機構を提供する。【解決手段】手持電子製品の支持機構１は、本体１０と第１の嵌合ユニット１１とを含む。第１の嵌合ユニットは、本体の一端に設けられ、第１の嵌合部１１１と第２の嵌合部１１２を含む。第１の嵌合部が第２の嵌合部に対応している。本支持機構を使用すると、ユーザーは、力を省いて電子製品３を安定的に握り持つことができる。【選択図】図１Ａ
0003168722.tif 000002
【実用新案登録請求の範囲】
【請求項１】
本体と、
前記本体の一端に設けられ、第1の嵌合部と第2の嵌合部を含み、前記第1の嵌合部が前記第2の嵌合部に対応する第1の嵌合ユニットと、を含むことを特徴とする手持電子製品の支持機構。
【請求項２】
前記本体の他端に設けられ、前記本体から折り曲げて形成される第2の嵌合ユニットをさらに含むことを特徴とする請求項１に記載の手持電子製品の支持機構。
【請求項３】
前記手持電子製品の支持機構が一体成型により成ることを特徴とする請求項１または２に記載の手持電子製品の支持機構。
【請求項４】
前記第2の嵌合部は、前記第1の嵌合部から折り返して形成されることを特徴とする請求項１または２に記載の手持電子製品の支持機構。
【請求項５】
前記第1の嵌合部と前記第2の嵌合部とは、ともに指カバー機構であり、前記指カバー機構がポリエステル糸、完全延伸糸、ポリ/ナイロン混合糸、陽イオンポリエステル糸、ナイロン糸、綿繊維糸、ポリエステル繊維糸、マイクロファイバーレザー糸、ナチュラルレザー糸、または少なくとも二種類以上の混合糸であることを特徴とする請求項１または２に記載の手持電子製品の支持機構。
【請求項６】
前記第1の嵌合部が単一の穴部を有し、第2の嵌合部が少なくとも一つの穴部を有することを特徴とする請求項５に記載の手持電子製品の支持機構。
【請求項７】
前記第1の嵌合部の穴部が第1の嵌合部に貫設され、前記第2の嵌合部の少なくとも一つの穴部が第2の嵌合部に貫設されることを特徴とする請求項６に記載の手持電子製品の支持機構。
【請求項８】
前記第1の嵌合部と前記第2の嵌合部とがともに指締め機構であることを特徴とする請求項１または２に記載の手持電子製品の支持機構。
【請求項９】
前記第1の嵌合部が単一の指締め具を有し、前記第2の嵌合部が少なくとも一つの指締め具を有することを特徴とする請求項８に記載の手持電子製品の支持機構。
【請求項１０】
前記第1の嵌合部の指締め具と前記第2の嵌合部の少なくとも一つの指締め具とが、ともにひづめ状を呈することを特徴とする請求項９に記載の手持電子製品の支持機構。
【請求項１１】
前記第2の嵌合ユニットは、締め具機構、係合機構または留め金機構であることを特徴とする請求項１または２に記載の手持電子製品の支持機構。
【請求項１２】
前記第1の嵌合部と前記第2の嵌合部との間に少なくとも一つの位置決め部をさらに有し、前記少なくとも一つの位置決め部は、ベルクロ機構、磁気引力機構または強化フィン機構であることを特徴とする請求項１または２に記載の手持電子製品の支持機構。
【請求項１３】
保護カバーと
第1の嵌合部と第2の嵌合部とを含み、前記保護カバーと一体成型された第1の嵌合ユニットと、を含み、
前記第1の嵌合部が前記第2の嵌合部に対応していることを特徴とする手持電子製品の支持機構。
【請求項１４】
前記第1の嵌合部と前記第2の嵌合部とがともに指カバー機構であることを特徴とする請求項１３に記載の手持電子製品の支持機構。
【請求項１５】
前記第1の嵌合部が単一の穴部を有し、前記第2の嵌合部が少なくとも一つの穴部を有する
ことを特徴とする請求項１４に記載の手持電子製品の支持機構。
【請求項１６】
前記第1の嵌合部の穴部が第1の嵌合部に貫設され、前記第2の嵌合部の少なくとも一つの穴部が第2の嵌合部に貫設されることを特徴とする請求項１５に記載の手持電子製品の支持機構。
【請求項１７】
前記第1の嵌合部と前記第2の嵌合部とは、ともに指締め機構であることを特徴とする請求項１３に記載の手持電子製品の支持機構。
【請求項１８】
前記第1の嵌合部が単一の指締め具を有し、前記第2の嵌合部が少なくとも一つの指締め具を有することを特徴とする請求項１７に記載の手持電子製品の支持機構。
【請求項１９】
前記第1の嵌合部の指締め具と第2の嵌合部の少なくとも一個の指締め具とが、ともにひづめ状を呈することを特徴とする請求項１８に記載の手持電子製品の支持機構。
【請求項２０】
前記第1の嵌合部と前記第2の嵌合部とが、ともに指つまみ機構であることを特徴とする請求項１３に記載の手持電子製品の支持機構。
【請求項２１】
前記第1の嵌合部が単一の凹状の指つまみ部を有し、前記第2の嵌合部が少なくとも一つの凹状の指つまみ部を有することを特徴とする請求項２０に記載の手持電子製品の支持機構。
【考案の詳細な説明】
【技術分野】
【０００１】
本発明は、支持機構に関し、特に手持式電子製品の支持機構に関する。
【背景技術】
【０００２】
先端技術が進むにつれ、電子製品は過去の生活における付属品から現在では日常生活に欠かせない物品となっている。その中で、例えば、ピー‐ディー‐エー（PDA：personal digital assistant）、携帯電話、電子ブック、タブレットPC等のタッチパネルの機能を持つ電子製品が次第に主流となってきている。上記電子製品は、モバイルインターネット、画像読み取り及びビデオ等、視聴覚の娯楽機能を有する場合に、ユーザーは、長時間その電子製品を習慣的に握り持って、先端技術がもたらす便利性を楽しむことができる。しかし、その電子製品を握り持つ場合、手部に加わる不適当な力、または長時間に渡って電子製品の重量を支持することにより手部の親指と人さし指の間の一部筋肉の張力が高まって、筋肉に痺れと痛みをもたらすことがある。
また、ユーザーの不注意が原因で、電子製品が手部から落ちると、大きなダメージを受けてしまう。
さらに、電子製品を握り持つ時、容易に手部からの油汚れと指紋が電子製品に付着するため、常によく拭かなければならず、大変不便である。
本発明者は、上記の欠点を改善するために、鋭意検討を重ねた結果、合理的な設計且つ上記の欠点を有効に改善する本発明を提出するに至った。
【考案の概要】
【考案が解決しようとする課題】
【０００３】
本発明の実施例は、手部に加わる不適当な力、または長時間に渡って電子製品の重量を支持することにより筋肉の痺れと痛みをもたらすことを低減すると共に、電子製品が容易に手部から落ちてダメージを受けることを防止する手持電子製品の支持機構を提供する。
【課題を解決するための手段】
【０００４】
本発明は、本体と、第1の嵌合ユニットとを含む手持電子製品の支持機構を提供する。第1の嵌合ユニットは、第1の嵌合部と第2の嵌合部を含み、第1の嵌合部は、第2の嵌合部に対応している。
また、本発明は、保護カバーと、該保護カバーと一体成型された第1の嵌合ユニットを含む手持電子製品の支持機構を提供する。
該第1の嵌合ユニットは、第1の嵌合部と第2の嵌合部を含み、第1の嵌合部が第2の嵌合部に対応している。
【考案の効果】
【０００５】
（1）本発明の支持機構は、電子製品の保護カバーとの貼合性または電子製品間の貼合性が極めて良いため、ユーザーが本発明にかかる手持電子製品の支持機構を利用して電子製品の保護カバー２やその電子製品自体を握り持つ時に力を加えやすく、且つ手部に加わる不適当な力、または長時間電子製品の重量を支持することによる筋肉の痺れや痛みをもたらすことを低減する。したがって、本発明の支持機構は握り持つ際の力の省力及び良好な安定性などの利点を有する。
（2））本発明の支持機構は、一体成型の構造であり、それぞれ分けて組み立てる必要がないので、製作コストを大幅に削減できる。
（3）本発明の支持機構は、電子製品の保護カバーと組み合せた後、該電子製品が直接支持機構の本体機構を支持することにより、ユーザーに対する便利な観視角度を提供する。
（4）本発明における支持機構の位置決め部及び支持機構の第2の嵌合ユニット構造は、長時間の摩擦力に耐えることができ、実用的な機能と耐久性を有することにより、ユーザーが安定的に電子製品を握り持つことができ、電子製品が手部から容易に落ちてダメージを受けることを防止する。
（5）本発明の支持機構は、ユーザーの手部からの油汚れと指紋が直接電子製品に付くことを回避できる。これにより、使用上の理便性が向上する。
（6）本発明における支持機構の第1の嵌合ユニットが指カバー機構である時、その指カバー機構は、目形の穴と空気通しの機能を有し、手部の熱気を散熱させて通風と汗の排出の効果に達し、ユーザーの手部における粘り感を減少されることができ、使用の快適感を増加させる。
【図面の簡単な説明】
【０００６】
【図１Ａ】本発明における手持電子製品の支持機構の実施例1である組合せ斜視図。
【図１Ｂ】本発明における手持電子製品の支持機構の実施例2である組合せ斜視図。
【図２Ａ】本発明における手持電子製品の支持機構の実施例3である組合せ斜視図。
【図２Ｂ】本発明における手持電子製品の支持機構の実施4である組合せ斜視図。
【図３】本発明における手持電子製品の支持機構の実施例5である組合せ斜視図。
【図４】本発明における手持電子製品の支持機構の実施例6である組合せ斜視図。
【図５】本発明における手持電子製品の支持機構の実施例7である組合せ斜視図。
【考案を実施するための形態】
【０００７】
図1A〜図2Bを参照し、本発明は、電子製品3の保護カバー2に取り付けられ、または直接に電子製品3に取り付けられる手持電子製品の支持機構1を提供する。
【０００８】
本発明の支持機構1は、本体10と、第1の嵌合ユニット11とを含み、第1の嵌合ユニット11が本体10の一端に設けられる。第1の嵌合ユニット11は、第1の嵌合部111及び第2の嵌合部112を含み、第1の嵌合部111が第2の嵌合部112に対応している。本発明の支持機構1は、電子製品3の保護カバー2との貼合性または電子製品本体間の貼合性が極めて良好であり、ユーザーが本発明の手持電子製品の支持機構1を利用して電子製品3を握り持つ時に力を容易に加えられ、且つ手部に加わる不適当な力を低減する、または長時間に渡って握り持つことにより起こる筋肉の痺れと痛みを低減することができる。したがって、本発明の支持機構1は、握り持つ際の力の省力及び良好な安定性の利点を有する。さらに、ユーザーは、本発明の支持機構1を利用して電子製品3を握り持ち、直接電子製品3に接触しないので、ユーザーの手部からの油汚れや指紋が電子製品3に付くことが回避できる、これにより、使用上の利便性が向上する。
【０００９】
図1Aは本発明における手持電子製品の支持機構1の実施例1である。図1Aを参照し、支持機構1の本体10と第1の嵌合ユニット11は、一体成型にて成る。したがって、本発明の支持機構1は、それぞれ分けて組み立てる必要がないので、製造コストを大幅に低減することができる。第1の嵌合ユニット11は、一体的に本体10の一端に設けられ、第1の嵌合部111及び第2の嵌合部112が第1の嵌合ユニット11に対応して設けられる。具体的には、第2の嵌合部112は、第1の嵌合部111から折り返して形成される。第1の嵌合部111と第2の嵌合部112との間には、位置決め部113をさらに有する。位置決め部113は、接着剤やミシンによる縫合等の方法により第1の嵌合ユニット11に接着される。位置決め部113は、一個または複数個のベルクロ機構、磁気引力機構または強化フィン機構であるが、これらに限定されない。位置決め部113の構造は長い間の摩擦力に耐えることができるため、実用性と耐久性を有する。位置決め部113は、支持機構1を比較的堅固に電子製品3に取り付けることができる。言い換えれば、ユーザーは、本発明の支持機構1を利用する際、安定的に電子製品3を支持することができ、電子製品3が容易に手部から落ちてダメージを受けることがない。
【００１０】
本実施例では、第1の嵌合部111及び第2の嵌合部112は、共に指カバー機構であり、第1の嵌合部111が単一の穴部111aを有し、第2の嵌合部112が少なくとも一個の穴部112aを有する。図1Aに示すように、第2の嵌合部112は、四個の穴部112aであるが、その数に限りは無く一個、二個または三個の穴部112aを有してもよい。穴部111aは、第1の嵌合部111に貫設されて、穴部112aは、第2の嵌合部112に貫設される。言い換えれば、穴部111a 、112aの両端に開口を有する。
第1の嵌合部111と第2の嵌合部112は、ポリエステル糸、完全延伸糸(Fully drawn yarn, FDY)、ポリ/ナイロン混合糸、陽イオンポリエステル糸、ナイロン糸、綿繊維糸、ポリエステル繊維糸、マイクロファイバーレザー(Micro Fiber Leather)糸、ナチュラルレザー糸または少なくとも二種類以上の混合糸であるが、これらの糸に限定されない。
【００１１】
本実施例における第1の嵌合部111及び第2の嵌合部112は、とも目形の穴（つまり穴部111a 、112a）と通風の機能を有する機構を有し、手部の熱気を散熱させて通風と汗の排出の機能に達し、ユーザーの手部における粘り感を減少させることができ、使用上の快適感を増加させる。なお、指カバー機構の設計は、ユーザーの手部に対応して穴部111aにはめ込むことができ、人さし指、中指、薬指、小指に対応して穴部112aをはめ込むことができる。したがって、ユーザーが本発明の支持機構1を使用して電子製品3を握り持った時、電子製品3の重量が支持機構1全体に均等に伝わり、電子製品3を直接握り持った場合と比較すると、ユーザーは力を省いて電子製品3を握り持つことができる。
【００１２】
図1Bは本発明における手持電子製品の支持機構1の実施例２である。図1Bを参照し、本実施例と実施例1との違いは、本実施例における手持電子製品の支持機構1は、本体10の一端に設けられた第1の嵌合ユニット11と、本体10の他端に設けられた第2の嵌合ユニット12を含む。
第2の嵌合ユニット12は本体10から折り曲げて形成させることが可能である。また、第2の嵌合ユニット12は締め具機構、係合機構または留め金機構であるが、これらの機構に限定されない。
位置決め部113と第2の嵌合ユニット12は、共に摩擦力を与えるため、本実施例における位置決め部113と第2の嵌合ユニット12を組み合わせることにより、本発明の支持機構1は一層堅固に電子製品3に取付けることができる。
なお、穴部112aは、第2の嵌合部112に貫設されるとともに第2の嵌合ユニット12に向けて延伸しているため、本体10が一定の厚みと強度を有している。
電子製品3を収納している保護カバー2は、直接本体10の機構に支持されて起き上がる。これにより電子製品3をユーザーに対して便利な観視角度に支持することができる。
【００１３】
図1Aは本発明における手持電子製品の支持機構1の実施例3である。図2Aを参照し、本実施例と実施例1との違いは、本実施例における第1の嵌合ユニット11の第1の嵌合部111及び第2の嵌合部112がとも指締め機構である点である。
第1の嵌合部111は、単一の指締め具111ｂを有し、第2の嵌合部112は、少なくとも一つの指締め具112ｂを有する。図2Aにおいて、第2の嵌合部112は、四個の指締め具112ｂを有するが、指締め具112ｂの数には制限が無く一個、二個または三個有してもよい。
指締め具111ｂと指締め具112ｂは、ともにひづめ状を呈する。該指カバー機構の設計は、ユーザーの指に対応しており、指締め具111ｂは、親指にはめ込むことができる。また、指締め具112ｂは、人さし指、中指、薬指、小指にはめ込むことができる。
【００１４】
図2Bは本発明における手持電子製品の支持機構1の実施例4である。図2Bを参照しながら説明する。本実施例と実施例2との違いは、第1の嵌合ユニット11の第1の嵌合部111及び第2の嵌合部112がともに指締め機構である点である。第1の嵌合部111の指締め具111ｂと第2の嵌合部112の少なくとも一個の指締め具112ｂはともにひづめ状を呈し、第2の嵌合部112の少なくとも一つの指締め具112ｂは、第2の嵌合ユニット12に向けて延伸する。本発明における支持機構1の本体10は、一定の厚み及び強度を有するため、ユーザーが本発明の支持機構1を使用しないで電子製品3を握り持つ場合においても、本発明の支持機構1が電子製品3を支持し、電子製品3をユーザーが操作を行いやすい任意の位置に起き上げて置く事ができる。
【００１５】
図3は本発明における手持電子製品の支持機構1の実施例5である。図3を参照しながら説明すると、本実施例と実施例2との違いは、手持電子製品の支持機構1の第1の嵌合ユニット11が保護カバー2と一体成型で結合される点である。言い換えれば、本発明の支持機構1は、保護カバー2及び保護カバー2と一体成型された第1の嵌合ユニット11を含む。
第1の嵌合ユニット11は、第1の嵌合部111と第2の嵌合部112を含み、第1の嵌合部111が第2の嵌合部112に対応している。したがって、本実施例の支持機構1は、個別に組み立てる必要がないので、製作コストを大幅に削減することができるとともに、製作の難易度を大幅に低減させている。本実施例の支持機構1も電子製品3を支持することができ、また、電子製品3をコンパクトに収納することができる。
【００１６】
図4は本発明における手持電子製品の支持機構1の実施例6である。図4を参照しながら説明する。本実施例と実施例4との違いは、手持電子製品の支持機構1の第1の嵌合ユニット11が保護カバー2と一体成型により結合されている点である。本実施例の支持機構1は電子製品3の支持機構になることができ、電子製品3を起き上がるように支持する。
【００１７】
図5は本発明における手持電子製品の支持機構1の実施例7である。図5を参照して説明する。支持機構1の第1の嵌合ユニット11と保護カバー2は一成型により結合されている。
第1の嵌合ユニット11は、第1の嵌合部111と第2の嵌合部112を含む。第1の嵌合部111と第2の嵌合部112はともに指つまみ機構であり、第1の嵌合部111が単一の凹部である指つまみ部111cを有し、第2の嵌合部112が少なくとも一つの凹部である指つまみ部111cを有する。図5における第2の嵌合部112は、四つの指つまみ部112cを有するが、一つ、二つまたは三つの指つまみ部112cを有してもよい。
前記指つまみ機構の設計は、指つまみ部111cがユーザーの親指に対応してはめることができ、指つまみ部112cが人さし指、中指、薬指、小指に対応してはめることができる。本実施例は、特にコンパクトな電子製品3に適用することができる。
【符号の説明】
【００１８】
1：支持機構
10：本体
11：第1の嵌合ユニット
111：第1の嵌合部
111a：穴部
111b：指締め具
111c：指つまみ部
112：第2の嵌合部
112a：穴部
112b：指締め具
112c : 指つまみ部
113：位置決め部
12：第2の嵌合ユニット
2：保護カバー
3：電子製品
【図１Ａ】
0003168722.tif 000003
【図１Ｂ】
0003168722.tif 000004
【図２Ａ】
0003168722.tif 000005
【図２Ｂ】
0003168722.tif 000006
【図３】
0003168722.tif 000007
【図４】
0003168722.tif 000008
【図５】
0003168722.tif 000009
【手続補正書】
【提出日】平成23年4月15日(2011.4.15)
【手続補正１】
【補正対象書類名】実用新案登録請求の範囲
【補正対象項目名】全文
【補正方法】変更
【補正の内容】
【実用新案登録請求の範囲】
【請求項１】
本体と、
前記本体の一端に設けられる第1の嵌合ユニットとを含む手持電子製品の支持機構であって、
前記第1の嵌合ユニットは、第1の指嵌合部、第2の指嵌合部、および第1の指嵌合部と第2の指嵌合部との間に形成され、手持電子製品を支持するための位置決め部を有し、
前記第1の指嵌合部および前記第2の指嵌合部は、ユーザーの指にはめ込むことができる形状を有することを特徴とする手持電子製品の支持機構。
【請求項２】
前記本体の他端に設けられ、前記本体から折り曲げて形成される第2の嵌合ユニットをさらに含むことを特徴とする請求項１に記載の手持電子製品の支持機構。
【請求項３】
前記手持電子製品の支持機構が一体成型により成ることを特徴とする請求項１または２に記載の手持電子製品の支持機構。
【請求項４】
前記第2の指嵌合部は、前記第1の指嵌合部から折り返して形成されることを特徴とする請求項１または２に記載の手持電子製品の支持機構。
【請求項５】
前記第1の指嵌合部と前記第2の指嵌合部とは、ともに指カバー機構であり、前記指カバー機構がポリエステル糸、完全延伸糸、ポリ/ナイロン混合糸、陽イオンポリエステル糸、ナイロン糸、綿繊維糸、ポリエステル繊維糸、マイクロファイバーレザー糸、ナチュラルレザー糸、または少なくとも二種類以上の混合糸であることを特徴とする請求項１または２に記載の手持電子製品の支持機構。
【請求項６】
前記第1の指嵌合部が単一の穴部を有し、第2の指嵌合部が少なくとも一つの穴部を有することを特徴とする請求項５に記載の手持電子製品の支持機構。
【請求項７】
前記第1の指嵌合部の穴部が第1の指嵌合部に貫設され、前記第2の指嵌合部の少なくとも一つの穴部が第2の指嵌合部に貫設されることを特徴とする請求項６に記載の手持電子製品の支持機構。
【請求項８】
前記第1の指嵌合部と前記第2の指嵌合部とがともに指締め機構であることを特徴とする請求項１または２に記載の手持電子製品の支持機構。
【請求項９】
前記第1の指嵌合部が単一の指締め具を有し、前記第2の指嵌合部が少なくとも一つの指締め具を有することを特徴とする請求項８に記載の手持電子製品の支持機構。
【請求項１０】
前記第1の指嵌合部の指締め具と前記第2の指嵌合部の少なくとも一つの指締め具とが、ともに馬蹄状を呈することを特徴とする請求項９に記載の手持電子製品の支持機構。
【請求項１１】
前記第2の嵌合ユニットは、締め具機構、係合機構または留め金機構であることを特徴とする請求項２に記載の手持電子製品の支持機構。
【請求項１２】
前記位置決め部は、ベルクロ機構、磁気引力機構または強化フィン機構であることを特徴とする請求項１または２に記載の手持電子製品の支持機構。
【請求項１３】
電子製品を保護する保護カバーと、
前記保護カバーと一体成型された第1の嵌合ユニットと、を含む電子製品の支持機構であって、
前記第1の嵌合ユニットは、第1の指嵌合部および第2の指嵌合部を含み、前記第1の指嵌合部および前記第2の指嵌合部は、ユーザーの指にはめ込むことができる形状を有することを特徴とする手持電子製品の支持機構。
【請求項１４】
前記第1の指嵌合部と前記第2の指嵌合部とがともに指カバー機構であることを特徴とする請求項１３に記載の手持電子製品の支持機構。
【請求項１５】
前記第1の指嵌合部が単一の穴部を有し、前記第2の指嵌合部が少なくとも一つの穴部を有することを特徴とする請求項１４に記載の手持電子製品の支持機構。
【請求項１６】
前記第1の指嵌合部の穴部が第1の指嵌合部に貫設され、前記第2の指嵌合部の少なくとも一つの穴部が第2の指嵌合部に貫設されることを特徴とする請求項１５に記載の手持電子製品の支持機構。
【請求項１７】
前記第1の指嵌合部と前記第2の指嵌合部とは、ともに指締め機構であることを特徴とする請求項１３に記載の手持電子製品の支持機構。
【請求項１８】
前記第1の指嵌合部が単一の指締め具を有し、前記第2の指嵌合部が少なくとも一つの指締め具を有することを特徴とする請求項１７に記載の手持電子製品の支持機構。
【請求項１９】
前記第1の指嵌合部の指締め具と第2の指嵌合部の少なくとも一個の指締め具とが、ともに馬蹄状を呈することを特徴とする請求項１８に記載の手持電子製品の支持機構。
【請求項２０】
前記第1の指嵌合部と前記第2の指嵌合部とが、ともに指つまみ機構であることを特徴とする請求項１３に記載の手持電子製品の支持機構。
【請求項２１】
前記第1の指嵌合部が単一の凹状の指つまみ部を有し、前記第2の指嵌合部が少なくとも一つの凹状の指つまみ部を有することを特徴とする請求項２０に記載の手持電子製品の支持機構。